(57)【要約】【課題】  操作ボタンを押圧操作した時に隣り合う操作ボタンが連動して押圧方向へ動作することを防止可能な押圧式スイッチ装置を提供する。【解決手段】  操作ボタン２がボタン装着部８に装着された状態で上段ボタン２ａあるいは下段ボタン２ｃについて中段ボタン２ｂと隣接する位置をユーザーが押圧方向へ操作すると、連結片１０により連動して中段ボタン２ｂが後ろ方向へ沈み込もうとするが、連結側ボス２０ａ、あるいは連結側ボス２０ｂにより中段ボタン２ｂが後ろ方向へ深く沈み込むことを阻止するので、上段ボタン２ａ、あるいは下段ボタン２ｃと連動した中段ボタン２ｂにより制御基板９のスイッチ２３が同時押し状態となり、マイコンがエラーと判断することが防止できる。【選択図】  図６
2019175754.tif 000002
【特許請求の範囲】
【請求項１】
筐体と、
当該筐体の表面に隣り合うように配置された複数の操作ボタンと、
当該操作ボタンを装着可能で前記筐体に形成されたボタン装着部と、があり、
前記操作ボタンには、前記操作ボタンが隣り合う端部で連結する連結片と、前記操作ボタンを前記ボタン装着部へ固定する固定片と、が形成され、
前記ボタン装着部には、前記ボタン装着部に装着された前記操作ボタンが押圧されることで押圧方向に可動する可動部と、前記操作ボタンを前記ボタン装着部に装着するとき前記連結片が挿入される連結片接続穴と、前記操作ボタンを前記ボタン装着部に装着するとき前記固定片が挿入される固定片接続穴と、が形成され、
前記ボタン装着部と対向する位置に配置され前記操作ボタンを押圧した時に前記可動部が当接するスイッチが形成された制御基板と、を備え、
前記連結片接続穴と隣接する位置の前記ボタン装着部に前記操作ボタンを押圧した時に前記操作ボタンと当接し前記操作ボタンの押圧方向の移動を規制するボスを形成したことを特徴とする押圧式スイッチ装置。
【請求項２】
前記固定片は前記操作ボタンが隣り合わない端部に形成されており、前記固定片接続穴と隣接する位置の前記ボタン装着部に前記操作ボタンを押圧した時に前記操作ボタンと当接し前記操作ボタンの押圧方向の移動を規制するボスを形成したことを特徴とする請求項１記載の押圧式スイッチ装置。
【発明の詳細な説明】
【技術分野】
【０００１】
この発明は、フロ給湯機のリモコン等に用いられる押圧式スイッチ装置に関するものである。
【背景技術】
【０００２】
従来、この種のものでは、隣り合う複数の操作ボタンを連結片で一体となるよう連結して筐体に形成されたボタン装着部に装着するものがあり、ユーザーにより操作ボタンが押圧されるとボタン装着部に形成された可動部が押圧方向に可動し、可動部と対向する位置に形成された制御基板のスイッチと当接することで信号がマイコンへ出力され、各種制御を実施していた。（例えば、特許文献１）
【先行技術文献】
【特許文献】
【０００３】
【特許文献１】特開２０１５−１２２２３３号公報
【発明の概要】
【発明が解決しようとする課題】
【０００４】
しかし、この従来のものでは、複数の操作ボタンの隣り合う端部を連結片で連結してボタン装着部に装着する構造において、ユーザーが操作ボタンを押圧して操作する時、操作ボタンが隣り合う端部付近を押圧した場合、連結片により操作する目的がない操作ボタンまで連動して押圧方向へ同時に移動し、ユーザーが本来操作したい操作ボタンと操作する目的がない操作ボタンの可動部の両者が共に制御基板のスイッチと当接する同時押し状態が発生する虞があり、この同時押し状態が発生すると制御基板から相違する制御指示信号が同時にマイコンへ送信されエラーと判断されることから、対策が必要である。
【課題を解決するための手段】
【０００５】
上記課題を解決するために、本発明の請求項１では、筐体と、
当該筐体の表面に隣り合うように配置された複数の操作ボタンと、
当該操作ボタンを装着可能で前記筐体に形成されたボタン装着部と、があり、
前記操作ボタンには、前記操作ボタンが隣り合う端部で連結する連結片と、前記操作ボタンを前記ボタン装着部へ固定する固定片と、が形成され、
前記ボタン装着部には、前記ボタン装着部に装着された前記操作ボタンが押圧されることで押圧方向に可動する可動部と、前記操作ボタンを前記ボタン装着部に装着するとき前記連結片が挿入される連結片接続穴と、前記操作ボタンを前記ボタン装着部に装着するとき前記固定片が挿入される固定片接続穴と、が形成され、
前記ボタン装着部と対向する位置に配置され前記操作ボタンを押圧した時に前記可動部が当接するスイッチが形成された制御基板と、を備え、
前記連結片接続穴と隣接する位置の前記ボタン装着部に前記操作ボタンを押圧した時に前記操作ボタンと当接し前記操作ボタンの押圧方向の移動を規制するボスを形成したことを特徴としている。
【０００６】
また、請求項２では、前記固定片は前記操作ボタンが隣り合わない端部に形成されており、前記固定片接続穴と隣接する位置の前記ボタン装着部に前記操作ボタンを押圧した時に前記操作ボタンと当接し前記操作ボタンの押圧方向の移動を規制するボスを形成したことを特徴としている。
【発明の効果】
【０００７】
この発明によれば、連結片接続穴と隣接する位置のボタン装着部に操作ボタンを押圧した時に操作ボタンと当接し操作ボタンの押圧方向の移動を規制するボスを形成したので、操作ボタンが隣り合う端部付近においてユーザーが操作ボタンを押圧したことでユーザーが操作する目的がない操作ボタンが連結片に連動して押圧方向へ移動しても、ボスが操作ボタンに当接して押圧方向への移動が規制され制御基板のスイッチが同時押し状態になることを防止できるため、制御基板のスイッチの同時押しによりエラーが発生する事態を防止することができる。
【０００８】
また、固定片は操作ボタン同士が隣り合わない端部に形成されており、固定片接続穴と隣接する位置のボタン装着部に操作ボタンを押圧した時に操作ボタンと当接し操作ボタンの押圧方向の移動を規制するボスを形成したので、連結片が形成されていない操作ボタンの端部側においてユーザーが操作ボタンを押圧方向へ操作した時、操作ボタンが深く沈み込んで固定片が固定片接続穴に引っかかったまま固着し、操作ボタンが押圧されたまま元の状態に戻らない事態を防止することができる。
【図面の簡単な説明】
【０００９】
【図１】この発明の一実施形態の外観を説明する正面図
【図２】内部機構を省略した図１のＡ−Ａ線断面図
【図３】同実施形態の操作ボタンの表面構造を説明する図
【図４】同実施形態の操作ボタンの背面構造を説明する図
【図５】同実施形態のボタン装着部を説明する図
【図６】同実施形態の操作ボタンとボタン装着部の位置関係を説明する図
【図７】同実施形態の操作ボタンがボタン装着部に装着された状態の背面構造を説明する図
【図８】同実施形態の操作ボタンを押圧した時の様子を説明する図１のＢ−Ｂ線断面図
【図９】同実施形態の操作ボタンを押圧した時の様子を説明する図１のＢ−Ｂ線断面図
【図１０】この発明の従来例を説明する図
【発明を実施するための形態】
【００１０】
次に、この発明の一実施形態における押圧式スイッチ装置を図に基づいて説明する。
１はフロ給湯機のリモコン本体としての筐体、２は当該筐体１の表面に３つのボタンが隣り合うように配置された操作ボタンであり、当該操作ボタン２は、上段に位置しフロの湯張りや保温等を自動で実施する上段ボタン２ａと、中段に位置し浴室に設置された図示しないフロリモコン側と通話を可能とする中段ボタン２ｂと、下段に位置し浴室内に設置された浴槽の入浴者の有無を表示させる下段ボタン２ｃとで構成されている。
【００１１】
３は文字や数字、イラストで現在設定されている給湯温度やフロ温度等の情報を表示する表示パネル、４は前記中段ボタン２ｂを押圧操作した時に浴室に設置された図示しないフロリモコン側で通話する相手の声が出力されるスピーカ５と対向する位置に形成されたスピーカ穴であり、表示パネル３での表示とスピーカ５での音により各種設定内容をユーザーに報知する。
【００１２】
６は前記表示パネル３に表示された内容について選択する十字キー、７は前記操作ボタン２にはないフロの湯増し等の動作について設定可能とするショートカットキーである。
【００１３】
８は各操作ボタン２と対向する位置の筐体１に形成されたボタン装着部であり、当該ボタン装着部８の所定位置に操作ボタン２を嵌め合わせることで、操作ボタン２の装着を可能とする。
【００１４】
９は筐体１に内蔵されボタン装着部８と対向する位置に配置された制御基板であり、各操作ボタン２が押圧操作されたことにより所定の制御内容を出力して図示しない通信線によりマイコンへ送信する。
【００１５】
（操作ボタンの構造）
１０は上段ボタン２ａの端部と上段ボタン２ａと隣接する中段ボタン２ｂの端部との間、及び下段ボタン２ｃの端部と下段ボタン２ｃと隣接する中段ボタン２ｂの端部との間で左方向へ突き出すように形成され各ボタン同士を連結するヒンジ構造の連結片であり、当該連結片１０により各操作ボタン２が連結された状態でボタン装着部８に装着することができるので、操作ボタン２をボタン装着部８へ装着する作業時、各操作ボタン２を誤った位置に設置する誤装着が発生するのを未然に防止することができる。
【００１６】
１１は上段ボタン２ａと中段ボタン２ｂとに形成された透光部であり、当該透光部１１は、ボタン表面に位置し光を通過させる透光ケース１１ａと、当該透光ケースの後ろ側に位置する透光突起１１ｂとを備えており、当該透光突起１１ｂの後ろ方向に設置された制御基板９上には図示しないＬＥＤが設置されており、各ボタンを押圧して操作し制御内容が切り替わることで前記ＬＥＤが点灯し、ＬＥＤの光が前記透光部３を介して漏れ出すことで、ユーザーが各ボタンを押圧操作した時に制御が切り替わったことを視認することができる。
【００１７】
１２は上段ボタン２ａの中段ボタン２ｂと隣り合わない端部、及び下段ボタン２ｃの中段ボタン２ｂと隣り合わない端部にあり左方向へ突き出すように形成された固定片、１３は各操作ボタン２の左方向にあり上下方向の略中心位置から後ろ方向へ突き出すように形成された左方ツメ、１４は各操作ボタン２の右方向にあり上下方向の略中心位置から後ろ方向へ突き出すように形成された右方ツメであり、各操作ボタン２をボタン装着部８へ装着するとき、固定片１２、左方ツメ１３、及び右方ツメ１４がボタン装着部８の所定位置に挿入されることで、各操作ボタン２をボタン装着部８へ装着することができる。
【００１８】
１５は各操作ボタン２の背面側から後ろ方向へ伸びるように形成された押圧ピンであり、操作ボタン２がボタン装着部８に装着されてからユーザーにより押圧操作されたとき、押圧ピン１５がボタン装着部８の所定位置と当接して押圧する。
【００１９】
（ボタン装着部の構造）
ボタン装着部８には、ボタン装着部８を前後方向、あるいは左右方向に貫通する複数の穴が形成されており、それぞれ、操作ボタン２をボタン装着部８に装着した時、連結片１０が挿入される連結片接続穴１６、固定片１２が挿入される固定片接続穴１７、透光突起１１ｂ及び左方ツメ１３が挿入される左方ツメ接続穴１８、右方ツメが挿入される右方ツメ接続穴１９となっている。
【００２０】
２０は前記連結片接続穴１６と隣接する位置で前方向に突出するよう形成された連結側ボスであり、当該連結側ボス２０は、操作ボタン２をボタン装着部８に装着した時に中段ボタン２ｂと対向する連結側ボス２０ａ、２０ｂと、上段ボタン２ａと対向する連結側ボス２０ｃと、下段ボタン２ｃと対向する連結側ボス２０ｄとで構成されおり、連結片１０と隣接する位置関係となる。
【００２１】
２１は前記固定片接続穴１７と隣接する位置で前方向に突出するよう形成された固定側ボスであり、当該固定側ボス２１は、操作ボタン２をボタン装着部８に装着した時に上段ボタン２ａと対向する固定側ボス２１ａと、下段ボタン２ｃと対向する固定側ボス２１ｂとで構成されており、固定片１２と隣接する位置関係となる。
【００２２】
２２はボタン装着部８の他の箇所より薄肉化して形成された可動部であり、当該可動部２２は、ボタン装着部８に操作ボタン２が装着されると押圧ピン１５と所定距離だけ間隔を空けた位置にあり、操作ボタン２がユーザーにより押圧操作されると押圧ピン１５が可動部２２と当接し、後ろ方向へ可動部２２を押圧して制御基板９のスイッチ２３に可動部２２が当接することで、制御内容を切り替える信号をマイコンへ送信する。
【００２３】
２４はボタン装着部８の背面側にあり後ろ方向へ突出するように形成された連結突起であり、操作ボタン２がボタン装着部８に装着された時、連結片１０の端部が連結突起２４に引っかかることで各操作ボタン２の位置が固定される。
【００２４】
（操作ボタンの押圧操作）
次に、操作ボタン２をユーザーが押圧方向へ操作した時の様子を説明する。
まず、操作ボタン２をボタン装着部８に装着した状態で図８に示すように中段ボタン２ｂに隣接する位置の上段ボタン２ａをユーザーが押圧方向へ操作した時、上段ボタン２ａが後ろ方向へ押圧されると連結片１０に連動して中段ボタン２ｂも後ろ方向へ沈み込もうとするが、中段ボタン２ｂが連結側ボス２０ａと当接することで後ろ方向へ深く沈み込むことが阻止されることで、中段ボタン２ｂの押圧ピン１５により可動部２２が後ろ方向へ可動し制御基板９のスイッチ２３と当接することを防止できるため、上段ボタン２ａと中段ボタン２ｂの押圧ピン１５により制御基板９のスイッチ２３が同時押し状態となって、マイコンがエラーと判断することを防止することができる。
【００２５】
ここで、操作ボタンがボタン装着部に装着された筐体をトラック等で輸送する時、図１０で示すように輸送の振動で連結片５０が割れてしまい隣り合う一方の操作ボタン５１と他方の操作ボタン５２とで連結片５０が分割した状態となる虞があり、連結片５０が割れた状態でユーザーが一方の操作ボタン５１を押圧すると、一方の操作ボタン５１の連結片５０が他方の操作ボタン５２の連結片５０よりも後ろ方向へ沈み込んだ状態で固着し、一方の操作ボタン５１が押し下げられたまま元の状態に戻らなくなることから、改善の余地があった。
【００２６】
本実施形態では、中段ボタン２ｂに隣接する位置の上段ボタン２ａをユーザーが押圧方向へ操作した時、上段ボタン２ａが後ろ方向へ沈み込むとボタン装着部８の連結側ボス２０ｃと当接し、更なる後ろ方向への沈み込みが阻止されることから、筐体１をトラック等で輸送する時、輸送の振動により連結片１０が割れた状態で上段ボタン２ａを押圧操作しても、上段ボタン２ａが後ろ方向へ深く沈み込み、割れた上段ボタン２ａの連結片１０が中段ボタン２ｂの連結片１０より後ろ方向へ沈み込んだ状態で固着し、上段ボタン２ａが後ろ方向へ沈み込んだまま元の位置に戻らないことを防止することができる。
【００２７】
また、図９で示すようにボタン装着部８の上端で中段ボタン２ｂと隣り合わない上段ボタン２ａをユーザーが押圧方向へ操作した時、上段ボタン２ａが後ろ方向へ沈み込むと上段ボタン２ａがボタン装着部８の固定側ボス２１ａと当接し、更なる後ろ方向への沈み込みが阻止されることから、ボタン装着部８の上端付近側の上段ボタン２ａが深く沈みこみ、透光突起１１ｂ、固定片１２、左方ツメ１３、及び右方ツメ１４のそれぞれが傾斜し、固定片接続穴１７、左方ツメ接続穴１８、及び右方ツメ接続穴１９の対向する端面に引っかかり、上段ボタン２ａが後ろ方向へ沈み込んだまま元の位置に戻らないことを防止することができる。
【００２８】
なお、本実施形態では上段ボタン２ａが中段ボタン２ｂと隣接する位置、又は筐体１の上端付近について押圧方向へ操作された時における後ろ方向への沈み込み防止について説明したが、下段ボタン２ｃについても同様であり、中段ボタン２ｂと隣接する位置の下段ボタン２ｃがユーザーにより押圧操作されると、連結片１０により連動した中段ボタン２ｂは連結側ボス２０ｂにより後ろ方向へ深く沈み込むことが防止されることで、中段ボタン２ｂと下段ボタン２ｃとにより制御基板９のスイッチ２３が同時押し状態となることを防止することができる。
【００２９】
また、下段ボタン２ｃは連結側ボス２０ｄにより後ろ方向へ深く沈みこむことが防止されることで、中段ボタン２ｂと下段ボタン２ｃとを連結する連結片１０が割れた状態で下段ボタン２ｃが押圧操作され、中段ボタン２ｂ側の連結片１０より後ろ方向へ下段ボタン２ｃ側の連結片１０が沈み込んだ状態で固着し、下段ボタン２ｃが後ろ方向へ沈み込んだまま元の位置に戻らないことを防止することができる。
【００３０】
また、ボタン装着部８の下端で中段ボタン２ｂと隣り合わない下段ボタン２ｃが押圧操作された時、下段ボタン２ｃが後ろ方向へ沈み込むと下段ボタン２ｃがボタン装着部８の固定側ボス２１ｂと当接し、更なる後ろ方向への沈み込みが阻止されることから、ボタン装着部８の下端付近の下段ボタン２ｃが中段ボタン２ｂ側よりも深く沈みこみ、固定片１２、左方ツメ１３、及び右方ツメ１４のそれぞれがボタン装着部８の下端方向へ向けて傾斜し固定片接続穴１７、左方ツメ接続穴１８、及び右方ツメ接続穴１９の対向する端面に引っかかり、下段ボタン２ｃが後ろ方向へ沈み込んだまま元の位置に戻らないことを防止することができる。
【００３１】
以上のように、操作ボタン２がボタン装着部８に装着された状態で上段ボタン２ａあるいは下段ボタン２ｃについて中段ボタン２ｂと隣接する位置をユーザーが押圧方向へ操作すると、連結片１０により連動して中段ボタン２ｂが後ろ方向へ沈み込もうとするが、連結側ボス２０ａ、あるいは連結側ボス２０ｂにより中段ボタン２ｂが後ろ方向へ深く沈み込むことを阻止するので、上段ボタン２ａ、あるいは下段ボタン２ｃと連動した中段ボタン２ｂにより制御基板９のスイッチ２３が同時押し状態となり、マイコンがエラーと判断することが防止できる。
【００３２】
また、中段ボタン２ｂに隣接する上段ボタン２ａ、あるいは下段ボタン２ｃをユーザーが押圧方向へ操作した時、連結側ボス２０ｃ、２０ｄにより上段ボタン２ａ、下段ボタン２ｃが後ろ方向へ深く沈み込むことが阻止されるので、輸送時の振動等により連結片１０が割れた状態で上段ボタン２ａ、あるいは下段ボタン２ｃを押圧操作しても、上段ボタン２ａ、あるいは下段ボタン２ｃ側の連結片１０が中段ボタン２ｂ側の連結片１０より後ろ方向へ沈み込んだ状態で固着し、上段ボタン２ａ、あるいは下段ボタン２ｃが元の位置まで戻らない事態を防止することができる。
【００３３】
また、ボタン装着部８の上端で中段ボタン２ｂと隣り合わない上段ボタン２ａを押圧操作した、あるいはボタン装着部８の下端で中段ボタン２ｂと隣り合わない下段ボタン２ｃを押圧方向へ操作した時、固定側ボス２１ａ、２１ｂにより上段ボタン２ａ、下段ボタン２ｃが後ろ方向へ深く沈み込むことが阻止されるので、上段ボタン２ａ、あるいは下段ボタン２ｃの固定片１２、左方ツメ１３が固定片接続穴１７、左方ツメ接続穴１８に引っかかり元の位置まで戻らない事態を防止することができる。
【００３４】
また、本実施形態で用いたその他の構成は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３５】
１    筐体
２    操作ボタン
８    ボタン装着部
９    制御基板
１０    連結片
１２    固定片
１６    連結片接続穴
１７    固定片接続穴
２０    連結側ボス
２１    固定側ボス
２２    可動部
２３    スイッチ
【図１】
2019175754.tif 000003
【図２】
2019175754.tif 000004
【図３】
2019175754.tif 000005
【図４】
2019175754.tif 000006
【図５】
2019175754.tif 000007
【図６】
2019175754.tif 000008
【図７】
2019175754.tif 000009
【図８】
2019175754.tif 000010
【図９】
2019175754.tif 000011
【図１０】
2019175754.tif 000012